(57)【要約】      （修正有）【課題】電子体温計における不必要な電力消耗を抑える方法を提供する。【解決手段】ステップＳ４０５において、測定時刻を報知するアラーム機能であるブザー音発生の有無を設定するモードであるか否かを判断し、アラーム機能を設定するモードであれば、ステップＳ４０６において、アラーム機能を設定するように表示部を使ってユーザに促し、操作部の操作を通してユーザによって入力されるアラーム機能を設定する。アラーム機能の設定は、アラーム機能を実行するために使うデバイスとしての表示部およびブザーの選択、および、アラーム機能を有効にするか無効にするかの設定を含む。【選択図】図５
2016102767.tif 000002
【特許請求の範囲】
【請求項１】
設定された時刻に応じた時刻に体温の測定を促すアラームを発生するアラーム機能を有する電子体温計であって、
前記アラーム機能を有効にするか無効にするかを設定するための操作部を備える、
ことを特徴とする電子体温計。
【請求項２】
前記操作部が操作されない時間が所定時間を超えた場合に前記アラーム機能が無効にされる、
ことを特徴とする請求項１に記載の電子体温計。
【請求項３】
前記操作部に対する操作に応じて、データを保存すべき温度範囲が設定され、
測定によって得られた体温が前記温度範囲に含まれる場合に、該測定によって得られた体温が保存される、
ことを特徴とする請求項１又は２に記載の電子体温計。
【請求項４】
前記操作部が取り付けられたケースと、前記ケースに装着される蓋部とを備え、
前記ケースは、電池を収納する空間を有し、前記蓋部は、前記電池を保持する保持部を含む、
ことを特徴とする請求項１乃至３のいずれか１項に記載の電子体温計。
【発明の詳細な説明】
【技術分野】
【０００１】
本発明は、例えば、設定された時刻に応じた時刻に体温の測定を促すアラームを発生する機能を有する電子体温計に関する。
【背景技術】
【０００２】
電子体温計には、基礎体温の変動を管理するための機能として、設定された時刻に応じた時刻に体温の測定を促すアラームを発生する機能を有する電子体温計がある。このような電子体温計は、基礎体温計あるいは婦人体温計と呼ばれうる。特許文献１には、設定された時刻になると目覚まし音を鳴らしてユーザに体温測定を促す女性体温計が記載されている。
【先行技術文献】
【特許文献】
【０００３】
【特許文献１】特開２０１２−４２３９４号公報
【発明の概要】
【発明が解決しようとする課題】
【０００４】
前述のようなアラーム機能を有する電子体温計は、設定された時刻に応じた時刻にブザーなどを駆動して体温の測定をユーザに促すので、そのようなアラーム機能を有しない電子体温計に比べて電池の消耗が早い。電池の交換作業は面倒なものであり、電池の消耗は可能な限り抑えられるべきである。
【０００５】
本発明は、電子体温計における不必要な電力消耗を抑え、電池の交換頻度をできるだけ少なくすることを目的とする。
【課題を解決するための手段】
【０００６】
本発明の１つの側面は、設定された時刻に応じた時刻に体温の測定を促すアラームを発生するアラーム機能を有する電子体温計であって、前記アラーム機能を有効にするか無効にするかを設定するための操作部を備えることを特徴とする。
【発明の効果】
【０００７】
本発明によれば、電子体温計における不必要な電力消耗が抑えられる。
【図面の簡単な説明】
【０００８】
【図１】本発明の１つの実施形態の電子体温計の外観を示す図。
【図２】本発明の１つの実施形態の電子体温計のブロック図。
【図３】本発明の１つの実施形態の電子体温計の表示例を示す図。
【図４】電池を保持するための構成例を示す図。
【図５】電子体温計の動作例を示す図。
【図６】電子体温計の動作例を示す図。
【図７】電子体温計の動作例を示す図。
【図８】電子体温計の動作例を示す図。
【発明を実施するための形態】
【０００９】
以下、添付図面を参照しながら本発明の好ましい実施形態を説明する。尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００１０】
図１には、本発明の１つの実施形態の電子体温計１００の外観が示されている。図２には、電子体温計１００のブロック図が示されている。電子体温計１００は、基礎体温の変動を管理するための機能として、設定された時刻に応じて体温の測定を促すアラーム機能を有する。このような電子体温計は、基礎体温計あるいは女性体温計と呼ばれる。
【００１１】
電子体温計１００は、ケース１０１、キャップ１０２、温度センサ１０、処理部２０、表示部３０、操作部４０およびブザー５０を備える。温度センサ１０は、キャップ１０２の内側に配置された測温素子としてのサーミスタ１２と、サーミスタ１２の抵抗値を温度データに変換して処理部２０に提供する回路（不図示）とを含む。該回路は、ケース１０１に収容される。処理部２０およびブザー５０は、ケース１０１に収容される。表示部３０および操作部４０は、ケース１０１に取り付けられる。操作部４０は、電源／決定ボタン１３０、左ボタン１１１、右ボタン１１２、上ボタン１２１、下ボタン１２２を含む。電源／決定ボタン１３０は、電子体温計１００をスリープモードから動作モードに変更し、動作モードからスリープモードに変更する指示を電子体温計１００に与えるためのボタンである。電源／決定ボタン１３０は、設定の変更を決定するための指示を電子体温計１００に与えるためのボタンでもある。左ボタン１１１、右ボタン１１２、上ボタン１２１、下ボタン１２２は、カーソルの移動および設定の変更に関する指示を電子体温計１００に与えるためのボタンである。
【００１２】
処理部２０は、例えば、ＣＰＵ２２、メモリ２４および時計２６を含む。メモリ２４は、制御プログラム２５を格納した不揮発性メモリおよび演算処理用のＲＡＭを含む。ＣＰＵ２２は、制御プログラム２５に基づいて装置全体の動作の判断・制御を行い、これによって処理部２０の機能が実現される。
【００１３】
図３には、液晶の表示部３０における表示例が示されている。図３に示された表示例では、表示部３０における表示は、領域３０１、３０２、３０３、３０４、３０５、３０７を含む。領域３０１は、電子体温計１００の複数の設定項目を表示する領域である。領域３０１に表示された絵文字（アイコン）は、左から順に、メモ入力、次回生理日表示、次回排卵日表示、アラーム時刻設定、ブザー音量設定、日時設定を選択するためのアイコンである。
【００１４】
領域３０２は、領域３０１に表示されたアイコンの選択によってメモ入力が選択された際に、入力されるメモの内容を選択するための領域である。領域３０２に表示された絵文字（アイコン）は、左から順に、生理日、生理痛、性交、飲薬、発熱、おりものを示すアイコンである。領域３０３は、測定データを表示する領域であり、測定された体温データが表示されたり、過去の所定日数分の体温データのトレンドをグラフとして表示されたりする。領域３０４は、設定内容を表示する領域であり、設定されたアラーム時刻や音量が表示される。領域３０５は、現在日時が表示される領域である。領域３０６は、電子体温計１００の状態（例えば、電池の残量等）が表示される領域である。領域３０３内の領域３０７は、例えば、過去の体温の測定値の履歴がグラフ表示される。
【００１５】
図４（ａ）、（ｂ）には、ボタン型電池ＢＣを保持するための構成が例示されている。電子体温計１００は、ケース１０１に装着された蓋部１０５を備える。ケース１０１は、電池ＢＣを収納する空間ＢＳＰを有する。蓋部１０５は、電池ＢＣを保持する保持部１０６を有する。保持部１０６は、電池ＢＣを保持するための複数の爪を含む。保持部１０６は、電池ＢＣを蓋部１０５から取り外す際に電池ＢＣの側面を指で挟んで電池ＢＣを蓋部１０５から引き離すことができるように構成される。このような構成によれば、電池ＢＣの交換作業が容易である。一方、従来から一般的なように凹部に電池を押し込むような構成では、凹部から電池を取り出すことが難しく、電池の交換作業が煩わしい。
【００１６】
図４（ｂ）に例示されるように、蓋部１０５は、保持部１０６によって電池ＢＣを保持した状態で、ケース１０１に装着される。ケース１０１には、電池ＢＣの第１電極に接触する端子１０３と、電池ＢＣの第２電極に接触する端子１０４とを有し、電池ＢＣを保持した蓋部１０５がケース１０１に対して装着されることによって、電池ＢＣの第１電極に端子１０３が接触するとともに電池ＢＣの第２電極に端子１０４が接触し、これにより、電池ＢＣから温度センサ１０、処理部２０、表示部３０、操作部４０に電力が供給される。
【００１７】
図５、図６、図７、図８には、電子体温計１００の動作が示されている。この動作は、処理部２０のＣＰＵ２２により制御プログラム２５に従って判断・制御される。
【００１８】
図５には、電池ＢＣが電子体温計１００に装着された後に初めて操作部４０の電源／決定ボタン１３０が押下された際に実行される処理が例示されている。ステップＳ４０２において、処理部２０は、日時を設定するモードであるか否かを判断し、日時を設定するモードであれば、ステップＳ４０３において、処理部２０は、日時を設定するように表示部３０を使ってユーザに促し、操作部４０の操作を通してユーザによって入力される日時を時計２６に設定する。ステップＳ４０４において、処理部２０は、アラーム時刻を設定するモードであるか否かを判断し、アラーム時刻を設定するモードであれば、Ｓ４０４において、処理部２０は、アラーム時刻を設定するように表示部３０を使ってユーザに促し、操作部４０の操作を通してユーザによって入力されるアラーム時刻を設定する。
【００１９】
ステップＳ４０５において、処理部２０は、測定時刻を報知するアラーム機能であるブザー音発生の有無を設定するモードであるか否かを判断し、アラーム機能を設定するモードであれば、ステップＳ４０６において、処理部２０は、アラーム機能を設定するように表示部３０を使ってユーザに促し、操作部４０の操作を通してユーザによって入力されるアラーム機能を設定する。ここで、アラーム機能の設定は、例えば、アラーム機能を実行するために使うデバイス（この例では、表示部３０およびブザー５０）の選択、および、アラーム機能を有効にするか無効にするかの選択を含む。
【００２０】
ステップＳ４０７において、処理部２０は、保存温度範囲を設定するモードであるか否かを判断し、保存温度範囲を設定するモードであれば、ステップＳ４０８において、処理部２０は、保存温度範囲を設定するように表示部３０を使ってユーザに促し、操作部４０の操作を通してユーザによって入力される情報に従って、保存温度範囲を設定する。ここで、測定によって得られた体温のデータのうち保存温度範囲のデータのみがメモリ２４に保存される。これは、例えば、発熱時などにおける体温は、基礎体温ではないので、そのような体温のデータを保存の対象外とするためである。
【００２１】
ステップＳ４０９において、処理部２０は、設定を継続するか否かを判断し、設定を終了する場合には、ステップＳ４１０において、スリープモードに移行する。ここで、スリープモードにおいても、処理部２０は、省電力状態で動作し、時計２６が動作するほか、ＣＰＵ２２による操作部４０の操作の監視などが行われるが、体温の測定は行われない。
【００２２】
図６には、電源／決定ボタン１３０が押下されて体温を測定し保存する処理が例示されている。ステップＳ５０２において、処理部２０は、電源／決定ボタン１３０が押下されたか否かを判断し、電源／決定ボタン１３０が押下されたら動作モードに移行する。動作モードでは、操作部４０に対して設定のために操作がなされると、その操作に応じた設定がなされ、操作部４０に対してデータの表示のための操作がなされると、その操作に応じた表示が表示部３０に出力される。
【００２３】
電源／決定ボタン１３０が押下された後に、体温の測定のための動作がなされると、ステップＳ５０３において、処理部２０は、温度センサ１０を使って体温の測定のための処理を開始する。ステップＳ５０４において、処理部２０は、体温の測定（実測方式または平衡温予測方式）が終了したか否かを判断し、体温の測定が終了したと判断したら、好ましくはブザー音の発生及び／またはバックライト（不図示）を発光させた後、ステップＳ５０５において、処理部２０は、測定した体温を表示部３０に表示させる（この時、好ましくはバックライトを発光させてもよい）。なお、この時のブザー音は、測定時刻を報知するブザー音とは異なる発生パターンとすることで、使用者がその違いを容易に認識できる。
【００２４】
ステップＳ５０６において、処理部２０は、測定した体温のデータをメモリ２４に保存するか否かを判断し、保存する場合には、ステップＳ５０７において、測定した体温のデータをメモリ２４に保存する。この判断は、測定した体温が予め設定されている保存温度範囲内の温度であるかの判断を含む。この場合、測定した体温が予め設定されている保存温度範囲内の温度であれば、ステップＳ５０７において、その体温のデータをメモリ２４に保存する。
【００２５】
図７には、アラーム機能が有効である場合の電子体温計１００の動作が例示されている。ステップＳ６０１において、処理部２０は、設定されたアラーム時刻になったか否かを判断する。そして、設定されたアラーム時刻になったと判断したら、ステップＳ６０２において、処理部２０は、アラーム機能が有効に設定されているか無効に設定されているかを判断し、有効に設定されていると判断した場合、ステップＳ６０３において、処理部２０は、アラームを発生する。このアラームは、アラーム機能の設定に従ってなされる。例えば、表示部３０およびブザー５０の双方を使用してアラームを発生するように設定されている場合には、処理部２０は、表示部３０およびブザー５０の双方を使用してアラームを発生する。ステップＳ６０２において、アラーム機能が無効に設定されていると判断した場合には、処理部２０は、アラームを発生しない。
【００２６】
アラーム機能を無効に設定する機能を設けることによって、例えば、基礎体温の変動の記録を希望しない期間（例えば、旅行に行く場合）において電子体温計１００がアラームの発生によって無駄に電力を消費することを防止することができ、電池の交換頻度をできるだけ少なくすることができる。
【００２７】
ところで、本発明は、上述の実施の形態に限定されず、アラーム機能であるブザー音発生の他、アラーム機能としてバックライトの発光としてもよく、これらを併せてアラーム機能としてもよく、あるいはバックライトの単独の発光としてもよい。
【００２８】
図８には、図７に示された処理の変形例が示されている。ステップＳ６０１〜Ｓ６０３における処理は、図７におけるステップＳ６０１〜Ｓ６０３における処理と同様である。ステップＳ６０４において、処理部２０は、操作部４０が所定時間（例えば、２４時間）にわたって操作されていないかを判断し、操作部４０が所定時間にわたって操作されていない場合は、ステップｐＳ６０５においてアラーム機能を無効に設定する。この所定時間は、操作部４０の操作を通して設定可能にされてもよい。
【符号の説明】
【００２９】
１００：電子体温計、１０１：ケース、１０２：キャップ、３０：表示部、４０：操作部、１３０：電源／決定ボタン
【図１】
2016102767.tif 000003
【図２】
2016102767.tif 000004
【図３】
2016102767.tif 000005
【図４】
2016102767.tif 000006
【図５】
2016102767.tif 000007
【図６】
2016102767.tif 000008
【図７】
2016102767.tif 000009
【図８】
2016102767.tif 000010